【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
イメージングデバイスのインクローダに使用するインクスティックであって、
相変化インクイメージングデバイスのインクローダの供給路に受容され、かつ該供給路の挿入端から溶融端まで該供給路内を供給方向に移動可能な形状を有するインクスティック本体であって、該インクスティック本体は先端と末端とを備え、かつ該インクスティック本体は該先端を供給方向、該末端を該供給方向とは反対方向に向けて該インクローダ内に挿入される、インクスティック本体と、
前記インクスティック本体の前記先端付近に位置する複数の第１のセンサアクチュエータであって、該第１のセンサアクチュエータは前記インクスティック本体の外面に形成された挿入部を含み、該第１のセンサアクチュエータは前記インクスティック本体が前記溶融端に向かって移動させられるときに前記供給路における少なくとも１つのセンサと相互作用して、符号語の第１の部分に対応する第１の信号を生成し、該第１の信号は、供給路における前記センサがトラックの前記複数の第１のセンサアクチュエータによって作動される順番に対応する、複数の第１のセンサアクチュエータと、
前記インクスティック本体の前記末端付近に位置し、かつインクスティック本体上に配列された複数の第２のセンサアクチュエータであって、該第２のセンサアクチュエータは前記インクスティック本体の外面に形成された挿入部を含み、該第２のセンサアクチュエータは、前記インクスティック本体が前記溶融端に向かって移動させられるときに前記供給路における少なくとも１つのセンサと相互作用して、前記符号語の第２の部分に対応する第２の信号を生成し、前記符号語は、前記インクスティック本体に関連する可変制御情報に対応し、前記第２の信号は、供給路における前記センサが前記複数の第２のセンサアクチュエータによって作動される順番に対応し、該複数の第１のセンサアクチュエータと該複数の第２のセンサアクチュエータは前記インクスティック本体に沿って複数のトラックに配列され、各トラックは前記インクローダの供給方向に実質的に平行な通路を形成し、該複数の第１のセンサアクチュエータと該複数の第２のセンサアクチュエータとは前記供給路における別々のセンサと相互作用する、複数の第２のセンサアクチュエータと、
前記インクスティック本体上における前記複数の第１のセンサアクチュエータと前記第２のセンサアクチュエータとの間に位置する遷移表示部であって、該遷移表示部は前記複数の第１のセンサアクチュエータと前記第２のセンサアクチュエータとの間において前記インクスティック本体の外面に形成された凸部を含み、該凸部は前記供給路における前記センサと相互作用して前記第１の信号の生成から前記第２の信号の生成への遷移を表す遷移信号を生成する、遷移表示部と、
を備える、インクスティック。
【請求項２】
請求項１に記載のインクスティックにおいて、
前記可変制御情報が前記インクスティック本体に関連する在庫保管単位（ＳＫＵ）の表示を含む、インクスティック。
【請求項３】
請求項１に記載のインクスティックにおいて、
前記第１のセンサアクチュエータ及び第２のセンサアクチュエータは、該センサアクチュエータから反射した光に基づいて前記センサを作動させる、インクスティック。
【請求項４】
相変化インクイメージングデバイスのシステムであって、
インクスティックの外面に形成され、複数の第１のセンサアクチュエータと複数の第２のセンサアクチュエータとを含む符号化センサ構成部であり、該複数の第１のセンサアクチュエータが第１の配列で前記インクスティックの先端付近に配置され、該複数の第２のセンサアクチュエータが第２の配列で前記インクスティックの末端付近に配置される、符号化センサ構成部と、
前記インクスティックの外面上において前記複数の第１のセンサアクチュエータと前記第２のセンサアクチュエータとの間に形成された遷移表示部と、
前記インクスティックの挿入を検出し、かつ該インクスティックの挿入を示す信号を生成する、インクスティック挿入センサと、
前記複数の第１のセンサアクチュエータ及び前記複数の第２のセンサアクチュエータを検出して前記第１の配列に対応する第１の信号と前記第２の配列に対応する第２の信号とを生成する、前記相変化イメージングデバイスのインクローダ内のセンサシステムであって、前記第１の信号及び前記第２の信号が符号語の部分を含み、該符号語が前記インクスティックに関連する可変制御情報に対応するセンサシステムであり、前記遷移表示部を検出して前記複数の第１のアクチュエータの検出と前記複数の第２のアクチュエータの検出とを区別するように構成された、センサシステムと、
前記第１の信号及び第２の信号を受信し、該第１の信号及び第２の信号を復号化して前記符号語を決定し、かつ該符号語に関して前記相変化インクイメージングデバイスのイメージング処理を行わせるように構成されたプリントコントローラと、
を備える、システム。
【請求項５】
請求項４に記載のシステムにおいて、
前記可変制御情報が前記インクスティックに関連する在庫保管単位（ＳＫＵ）の表示を含む、システム。
【請求項６】
請求項４に記載のシステムにおいて、
前記複数の第１のセンサアクチュエータと前記複数の第２のセンサアクチュエータは、インクスティック本体に沿った複数のトラックに配列され、各トラックは前記インクローダの供給方向に実質的に平行な通路を形成する、システム。
【請求項７】
相変化インクイメージングデバイスのシステムであって、
インクスティックの外面に形成され、複数の第１のセンサアクチュエータと複数の第２のセンサアクチュエータとを含む符号化センサ構成部であり、該複数の第１のセンサアクチュエータがインクスティック本体に沿ったトラックに第１の配列で前記インクスティックの先端付近に配置され、該複数の第２のセンサアクチュエータが該インクスティック本体に沿ったトラックに第２の配列で前記インクスティックの末端付近に配置され、各トラックが前記インクローダの供給方向に実質的に平行な通路を形成する、符号化センサ構成部と、
前記インクスティックの外面上において前記複数の第１のセンサアクチュエータと前記第２のセンサアクチュエータとの間に形成された遷移表示部と、
前記相変化イメージングデバイスのインクローダ内のセンサシステムであって、前記インクスティック上の各トラックに対して前記インクローダ内に配置されたトラックセンサであって、前記複数の第１のセンサアクチュエータ及び前記複数の第２のセンサアクチュエータを検出し、かつ前記第１の配列に対応する第１の信号と前記第２の配列に対応する第２の信号とを生成するトラックセンサを含み、前記第１の信号及び前記第２の信号が符号語の部分を含み、該符号語が前記インクスティックに関連する可変制御情報に対応するセンサシステムであり、前記遷移表示部を検出して前記複数の第１のアクチュエータの検出と前記複数の第２のアクチュエータの検出とを区別する、センサシステムと、
前記第１の信号及び第２の信号を受信し、該第１の信号及び第２の信号を復号化して前記符号語を決定し、かつ該符号語に関して前記相変化インクイメージングデバイスのイメージング処理を行わせるように構成されたプリントコントローラと、
を備える、システム。
【請求項８】
請求項７に記載のシステムにおいて、
前記第１の信号は、供給路における前記トラックセンサが前記複数の第１のセンサアクチュエータによって作動される順番に対応し、前記第２の信号は、該供給路における前記トラックセンサが前記複数の第２のセンサアクチュエータによって作動される順番に対応する、システム。
【請求項９】
請求項８に記載のシステムにおいて、
前記遷移表示部は、各トラックにおける前記複数の第１のセンサアクチュエータと前記第２のセンサアクチュエータとの間において前記インクスティックの外面に形成された凸部を含む、システム。
【請求項１０】
相変化イメージングデバイスのインクローダにインクスティックを供給する方法であって、
相変化イメージングデバイスのインクローダにインクスティックを挿入するステップであって、該インクスティックは、該インクスティックの外面に形成され、複数の第１のセンサアクチュエータと複数の第２のセンサアクチュエータとを含む符号化センサ構成部を含み、該複数の第１のセンサアクチュエータがインクスティック本体に沿ったトラックに第１の配列で前記インクスティックの先端付近に配置され、該複数の第２のセンサアクチュエータが前記インクスティック本体に沿ったトラックに第２の配列で前記インクスティックの末端付近に配置され、各トラックが該インクスティックの外面上において前記インクローダの供給方向に実質的に平行であり、各トラックが複数の先端センサアクチュエータと複数の末端センサアクチュエータとを含み、各トラックの前記複数の先端センサアクチュエータと前記複数の末端センサアクチュエータとが作動シーケンスで配列され、該インクスティックは、各トラックにおける前記インクスティックの外面上において、各トラックの前記先端センサアクチュエータと前記末端センサアクチュエータとの間に形成された遷移表示部を含む、インクスティックを挿入するステップと、
複数のトラックセンサによって、各トラックにおける前記第１の複数の先端センサアクチュエータを検出するステップと、
前記遷移表示部を検出するステップと、
前記遷移表示部の検出に応答して各トラックにおける前記第２の複数の末端センサアクチュエータを検出するように前記複数のトラックセンサを設定するステップと、
前記複数のトラックセンサによって、各トラックにおける前記第２の複数の末端センサアクチュエータを検出するステップと、
トラックにおける前記第１の複数の先端センサアクチュエータの検出にもとづき、前記作動シーケンスを示す第１の信号を生成するステップと、
前記トラックにおける前記複数の末端センサアクチュエータの検出にもとづき、前記作動シーケンスを示す第２の信号を生成するステップであって、あるトラックに対する該第１の信号と第２の信号は符号語を含み、該符号語は前記インクスティックに関連する可変制御情報に対応する、ステップと、
前記第１の信号及び前記第２の信号を復号化して、前記符号語に対応する前記インクスティックの可変制御／属性情報を決定するステップと、
前記符号語に関して前記相変化インクイメージングデバイスのイメージング処理を行わせるステップと、
を含む、方法。
【請求項１１】
請求項１０に記載の方法において、
前記第１の信号及び第２の信号を復号化するステップは、前記第１の信号及び前記第２の信号を復号化して前記インクスティックに関連する在庫保管単位（ＳＫＵ）の表示を決定するステップを、さらに含む、方法。